(57)【特許請求の範囲】
【請求項１】
自然爪に貼着される付け爪において、
爪本体；および
前記爪本体に結合される発光部；を含み、
前記発光部は：
コイル状に形成され、非接触式無線通信を行うことができる端末機から発信される電磁気波を電磁気誘導現象によって電気に変換する誘導コイル；および
前記誘導コイルから発生した電気エネルギーによって発光する発光ダイオード；を含み、
前記発光部は、不透明なステッカ状の保護カバーによって覆われた状態で前記爪本体の底面に貼り付けられたことを特徴とする、近距離無線通信を用いる発光装置が具備された付け爪。
【請求項２】
前記発光ダイオードを覆うように配置され、前記発光ダイオードから発した光が外部に照明される膜状のディスプレイ部をさらに具備し、
前記ディスプレイ部は、透明または半透明からなる部位を含むことを特徴とする、請求項１に記載の近距離無線通信を用いる発光装置が具備された付け爪。
【請求項３】
前記爪本体は、前記発光部を収容し得るように凹状に形成された収容溝部を具備したことを特徴とする、請求項１に記載の近距離無線通信を用いる発光装置が具備された付け爪。
【請求項４】
前記爪本体は、前記発光ダイオードが挿入されるダイオード挿入部を具備し、前記爪本体が前記発光ダイオードから発生した光の伝達通路の役割をするようになったことを特徴とする、請求項１に記載の近距離無線通信を用いる発光装置が具備された付け爪。
【請求項５】
前記発光部は、前記爪本体とインサート射出方式で結合されたことを特徴とする、請求項１に記載の近距離無線通信を用いる発光装置が具備された付け爪。
【発明の詳細な説明】
【技術分野】
【０００１】
本発明は、付け爪に関する。
【背景技術】
【０００２】
一般的に、手をより見栄えよくするために爪を長く伸ばし、伸ばした爪にマニキュアを塗って爪を装飾する。しかし、爪が長いと、日常生活に不便が伴い、かつ非衛生的であるため、手の見栄えをよくするために爪を長くしたいが、それができない場合が多い。このような人間の欲求を充足させるために開発されたのが付け爪である。
【０００３】
付け爪は、使用する人の爪の上に貼着することにより、爪の長さを長く見えるようにして手を目立たせるだけでなく、付け爪に多様な色のマニキュアを塗って美しく飾ることができる。このような付け爪の一例が、韓国公開特許第２０１２−０１３１９９３号に開示されている。
【０００４】
従来の付け爪の中には、韓国公開実用新案第２００８−００００２８０号に開示されたように、付け爪の内部に蛍光物質または夜光物質を配設し、暗所であっても付け爪の装飾効果を具現することができるようにしたものがある。ところが、付け爪に蛍光物質や夜光物質を配設することは、人体に有害な化学物質を使用するようになり、相対的に薄肉な付け爪に蛍光物質や夜光物質を配設し難いという問題点がある。
【０００５】
また、日本国特開第２００９−２６８８９３号に開示されたように、薄板状の電池により駆動する発光ダイオードを適用して装飾効果を具現する付け爪もある。しかしながら、装飾効果を具現するために薄板状の電池を付け爪に配設しなければならないので、その付け爪に配設される電池のため、製造原価が上昇し、体積および重量が大きくなり、実用性に劣るという問題点がある。
【先行技術文献】
【特許文献】
【０００６】
【特許文献１】韓国公開特許２０１２−０１３１９９３号公報
【特許文献２】韓国公開実用新案２００８−００００２８０号公報
【特許文献３】日本国特開２００９−２６８８９３号公報
【発明の概要】
【発明が解決しようとする課題】
【０００７】
本発明の目的は、上記のような問題点を解消するために案出されたものであって、付け爪の発光装飾効果を具現する上で、電池のような部品を必要とせずに、スマートフォンの近距離無線通信システムを用いて発光効果を具現した付け爪を提供することにある。
【課題を解決するための手段】
【０００８】
上記の目的を達成するために、本発明の一実施例に係る近距離無線通信を用いる発光装置が具備された付け爪は、自然爪に貼着される付け爪において、
爪本体；および
前記爪本体に結合される発光部；を含み、
前記発光部は：
コイル状に形成され、非接触式無線通信を行うことができる端末機から発信される電磁気波を電磁気誘導現象によって電気に変換する誘導コイル；および
前記誘導コイルから発生した電気エネルギーによって発光する発光ダイオード；を含む点に特徴がある。
【発明の効果】
【０００９】
本発明に係る近距離無線通信を用いる発光装置が具備された付け爪は、非接触式近距離無線通信システムを構成する端末機から発信される電磁気波をエネルギー源として発光する発光部を具備することにより、近距離無線通信端末機が具備された電子機器やその近所で使用される物体に近接した場合に装飾機能を遂行することができるようにして、別途のバッテリーが具備されていなくても作動し、効率性に優れ、特異な装飾効果のある付け爪を提供することが可能となる効果がある。
【図面の簡単な説明】
【００１０】
【図１】本発明の一実施例に係る付け爪の斜視図である。
【図２】図１に示された付け爪の底部を示した図である。
【図３】図２に示された付け爪の発光部を説明するための図である。
【図４】図３に示された発光部をさらに詳細に示した図である。
【図５】図２に示されたＶ−Ｖ線の概略的断面図である。
【図６】図５に対応する他の実施例に係る断面図である。
【図７】図５に対応するまた他の実施例に係る断面図である。
【図８】図４に示された発光部の断面構造を説明するための図である。
【図９】図１に示された付け爪の使用状態の一例を示した図である。
【図１０】図５に対応する断面図であって、爪本体と発光部とがインサート射出方式で結合された構造を示した図である。
【発明を実施するための形態】
【００１１】
以下、本発明に係る好ましい実施例を、添付図面を参照して詳しく説明する。
図１は、本発明の一実施例に係る付け爪の斜視図である。図２は、図１に示された付け爪の底部を示した図である。図３は、図２に示された付け爪の発光部を説明するための図である。図４は、図３に示された発光部をさらに詳細に示した図である。図５は、図２に示されたＶ−Ｖ線の概略的断面図である。図６は、図５に対応する他の実施例に係る断面図である。図７は、図５に対応するまた他の実施例に係る断面図である。図８は、図４に示された発光部の断面構造を説明するための図である。図９は、図１に示された付け爪の使用状態の一例を示した図である。図１０は、図５に対応する断面図であって、爪本体と発光部とがインサート射出方式で結合された構造を示した図である。
【００１２】
図１乃至図１０を参照すると、本発明の一実施例に係る近距離無線通信を用いる発光装置が具備された付け爪１０（以下、「付け爪」という）は、爪本体２０と、発光部３０と、保護カバー５０とを含む。
【００１３】
前記爪本体２０は、自然爪の屈曲率に沿って湾曲された板形状を有する。前記爪本体２０の外観は、従来の付け爪と大同小異な形態を構成する。前記爪本体２０の底部は、図５に示されたように、従来の付け爪と同様に表面に凹凸がない構造で構成され得る。一方、他の実施例において、前記爪本体２０は底部に、図６に示されたように、後述する発光部３０を収容する収容溝部２２を具備していてもよい。一方、他の実施例では、前記爪本体２０は底部に、図７に示されたように、発光ダイオード４０が挿入されるダイオード挿入部２４を具備していてもよい。一方、前記爪本体２０は、図１０に示されたように、後述する発光部３０とインサート射出方式で結合され得る。
【００１４】
前記発光部３０は、誘導コイル３５と、発光ダイオード４０とを含む。
【００１５】
前記誘導コイル３５は、フレキシブル印刷回路基板に形成される。前記誘導コイル３５は、電気伝導性の良好な銅のような素材で形成することができる。前記誘導コイル３５は、前記フレキシブル印刷回路基板の周りに沿ってコイル状に印刷することができる。一方、前記誘導コイル３５は、フレキシブル印刷回路基板に形成せず、前記爪本体２０にインレイ（ｉｎ−ｌａｙ）形態で構成することができる。
【００１６】
前記誘導コイル３５は、非接触式無線通信を行うことができる端末機から発信される電磁気波を電磁気誘導現象によって電気に変換する。前記誘導コイル３５は、一種のアンテナの役割をする。前記誘導コイル３５によって電気エネルギーに変換され得る電磁気波は、例えば、スマートフォンに具備されたエヌエフシー（ＮＦＣ）モジュールから発信される電磁気波が該当される。エヌエフシー（ＮＦＣ）は、近距離無線通信の一種であって、アールエフアイディー（ＲＦＩＤ）無線通信技術の一種である。エヌエフシー（ＮＦＣ，Ｎｅａｒ  Ｆｉｅｌｄ  Ｃｏｍｍｕｎｉｃａｔｉｏｎ）は、１３．５６ＭＨｚ帯の周波数を用いて、１０ｃｍ内の短距離で端末機同士でデータを相互転送することができる技術である。ＮＦＣは、非接触通信技術であり、事物の多様な情報を管理することができる電子タグ（ＲＦＩＤ）の一種である。一般的に、従来のＲＦＩＤは、リーダー機で情報の読み取り機能しか使用できなかった反面、一方、ＮＦＣは、両方向にデータを転送することができる。スマートフォンのような移動通信端末機にＮＦＣが装着された場合、ＮＦＣアンテナを活性化すると、スマートフォンそのものがカードリーダー機の役割を遂行する。すなわち、交通カード機能を搭載したスマートフォンをバスに設置された端末機に当てると、スマートフォンは端末機に残額の情報を渡し、端末機は情報を受けて決済することができる。
【００１７】
ブルートゥース等のように既に常用化された無線通信技術があるにもかかわらず、ＮＦＣが次世代の決済手段として脚光を浴びる理由は、暗号化技術を適用することができるからである。ＮＦＣは、端末機とリーダー機との間で行われる電波交換を暗号化して、個人或いは決済情報の外部流出を源泉的に阻むことができる長所がある。また、ブルートゥースは、端末機同士での情報交換のために別途の共有承認（ペアリング、ｐａｉｒｉｎｇ）が必要である。ところが、ＮＦＣは、アンテナを活性化し、端末機に接近さえすると、０．１秒以内に信号を認識し、ユーザ便宜性の面でブルートゥース等のような従来の通信に比べて優れた長所がある。このようなＮＦＣは、最近、スマートフォンに搭載される傾向にある。前記誘導コイル３５は、スマートフォンに搭載されたＮＦＣモジュールから発生する信号によって電気エネルギーを得ることができる。一方、前記誘導コイル３５は、バスや地下鉄のゲートに設置されたＲＦ端末機で発生する電磁気波によっても電気エネルギーを得ることができる。
【００１８】
前記発光ダイオード４０は、前記誘導コイル３５から発生した電気エネルギーによって発光する。前記発光ダイオード４０と前記誘導コイル３５との間には、例えば、整流器、増幅器、ノイズフィルタ等のような回路要素が具備されていてもよい。前記誘導コイル３５と前記発光ダイオード４０は、図４に示されたように、１つのフレキシブル印刷回路基板上に配置することができる。前記発光ダイオード４０は、複数具備することができる。前記発光ダイオード４０は、図７に示されたように、前記爪本体２０の底部に形成されたダイオード挿入部２４に挿入された形態で配置することができる。図７に示されたように、前記発光ダイオード４０が配置された場合には、前記爪本体２０が前記発光ダイオード４０から発生した光の伝達通路の役割をする。したがって、前記発光ダイオード４０が図７のように配置された場合には、前記爪本体２０に沿って２次元的に光を仄かに伝達することができ、変わった新しい装飾効果を奏することができる。前記発光ダイオード４０は、図４に示されたように、フレキシブル印刷回路基板（ＦＰＣＢ）に実装された状態で形成することができる。このように前記誘導コイル３５と前記発光ダイオード４０は、１つのユニットとして製造することができる。
【００１９】
前記発光ダイオード４０の上部には、ディスプレイ部４４を配置することができる。前記ディスプレイ部４４は、透明または半透明部位を含むシートであって、前記発光ダイオード４０と前記爪本体２０との間に配置される。前記ディスプレイ部４４には、前記発光ダイオード４０から発生した光が透過し得るように透明または半透明の柄が形成されることができる。
【００２０】
前記保護カバー５０は、前記発光部３０を覆った状態で前記爪本体２０に貼り付けられる。前記保護カバー５０は、不透明なステッカ状の部材である。前記保護カバー５０は、前記発光ダイオード４０から発生した光が前記爪本体２０の下方に伝播されることを遮断する役割と、前記発光部３０を外部の衝撃から保護する役割とをする。図１０に示されたように、前記発光部３０と前記爪本体２０とがインサート射出方式で結合された場合、前記保護カバー５０は、具備されていないこともある。
【００２１】
以下においては、上述したような構造を有する付け爪１０の作用効果を詳述する。
図９を参照すると、前記付け爪１０を貼着した人がスマートフォン１００を把持している状態が図式的に理解され得る。図９において、親指に前記付け爪１０が貼着されている。一般的に、スマートフォン１００の後面部にＮＦＣモジュールが具備される。したがって、人間がスマートフォン１００を把持している時や、通話する時、親指または人差し指や中指のいずれか１つは、スマートフォン１００の後面部に位置するようになる。この場合、スマートフォン１００のＮＦＣモジュールは、活性化状態に設定しなければならない。スマートフォン１００のＮＦＣモジュールから電磁気波信号が発生し、その電磁気波は、前記付け爪１０に含まれた前記誘導コイル３５によって電気エネルギーに変換される。前記誘導コイル３５で変換された電気エネルギーは、前記発光ダイオード４０を発光させる。前記発光ダイオード４０から発生した光は、前記ディスプレイ部４４を通して前記爪本体２０の上部に伝播される。したがって、ユーザまたはユーザの近くにいる人間は、前記付け爪１０がスマートフォン１００から発生したＮＦＣ信号によって周期的に発光することを観察することができる。
【００２２】
このような使用形態は、前記付け爪１０を貼着したユーザが、ＲＦ端末機が設置されたバスに乗るかまたは下車する時、交通カードをＲＦ端末機に近づける場合にも同様に起こり得る。また、前記付け爪１０を貼着したユーザが、地下鉄の料金決済ゲートを通過しながら、手で交通カードをＲＦ端末機に近づける時において、前記発光部３０が活性化されて発光効果が現れる。
【００２３】
また、最近にはスマートフォン１００が急速に大衆化することにより、スマートフォン１００のアプリの中でゲームアプリが普及されている。このようなゲームをスマートフォンで実行するようになる場合、ユーザの指のうち少なくとも幾つかはスマートフォン１００の後面部を把持するようになる。この場合にも、スマートフォン１００の後面部に具備されたＮＦＣモジュールから発生する電磁気波信号によって前記付け爪１０に具備された発光部が発光することにより、優れた装飾効果を具現することができる。
【００２４】
このように本発明に係る付け爪は、非接触式近距離無線通信システムを構成する端末機から発信される電磁気波をエネルギー源として発光する発光部を具備することにより、近距離無線通信端末機が具備された電子機器やその近所で使用される物体に近接した場合に装飾機能を遂行することができるようにして、別途のバッテリーが具備されていなくても作動し、効率性に優れ、特異な装飾効果のある付け爪を提供することができる効果がある。
【００２５】
以上、好ましい実施例を挙げて本発明について説明したが、本発明はそのような例によって限定されるものではなく、本発明の技術的思想を逸脱しない範疇内で多様な形態の実施例が具体化され得るものである。
【００２６】
上記目的を達成するために、本発明の一実施例に係る近距離無線通信を用いる発光装置が具備された付け爪は、自然爪に貼着される付け爪において、
爪本体；および
前記爪本体に結合される発光部；を含み、
前記発光部は：
コイル状に形成され、非接触式無線通信を行うことができる端末機から発信される電磁気波を電磁気誘導現象によって電気に変換する誘導コイル；および
前記誘導コイルから発生した電気エネルギーによって発光する発光ダイオード；を含む点に特徴がある。
【００２７】
前記発光部は、前記爪本体の底面に貼り付けられ、
前記発光部は、不透明なステッカ状の保護カバーによって覆われた状態で前記爪本体に貼り付けられていることが好ましい。
【００２８】
前記発光ダイオードを覆うように配置され、前記発光ダイオードから発した光が外部に照明される膜状のディスプレイ部をさらに具備し、
前記ディスプレイ部は、透明または半透明からなる部位を含むことが好ましい。
【００２９】
前記爪本体は、前記発光部を収容し得るように凹状に形成された収容溝部を具備していることが好ましい。
【００３０】
前記爪本体は、前記発光ダイオードが挿入されるダイオード挿入部を具備し、前記爪本体が前記発光ダイオードから発生した光の伝達通路の役割をするようにすることができる。
【００３１】
前記発光部は、前記爪本体とインサート射出方式で結合され得る。
【図１】
0006286454.tif 000002
【図２】
0006286454.tif 000003
【図３】
0006286454.tif 000004
【図４】
0006286454.tif 000005
【図５】
0006286454.tif 000006
【図６】
0006286454.tif 000007
【図７】
0006286454.tif 000008
【図８】
0006286454.tif 000009
【図９】
0006286454.tif 000010
【図１０】
0006286454.tif 000011